(57)【要約】【課題】読取動作、画像形成動作、給紙動作を併せたシステム全体としての生産性を確保しつつ、読取画像の画質の劣化を抑制することができる画像形成システムを提供する。【解決手段】原稿の画像を読み取る読取動作を実行する原稿読取部と、画像形成に用いる記録媒体を格納する複数の給紙トレイを備え、給紙トレイからの記録媒体の供給を行う給紙動作を実行する給紙部と、原稿読取部と給紙部とを制御する制御部とを備えた画像形成システムにおいて、制御部が、給紙動作に対応する給紙トレイまたは記録媒体が所定の条件に合致する場合に、読取動作と給紙動作とを同時に実行することを禁止し、給紙動作に対応する給紙トレイまたは記録媒体が所定の条件に合致しない場合に、読取動作と給紙動作とを同時に実行することを許可する。【選択図】図６
2015070286.tif 000002
【特許請求の範囲】
【請求項１】
原稿の画像を読み取る読取動作を実行する原稿読取部と、
画像形成に用いる記録媒体を格納する複数の給紙トレイを備え、前記給紙トレイからの前記記録媒体の供給を行う給紙動作を実行する給紙部と、
前記給紙動作に対応する前記給紙トレイまたは前記記録媒体が所定の条件に合致する場合に、前記読取動作と前記給紙動作とを同時に実行することを禁止し、前記給紙動作に対応する前記給紙トレイまたは前記記録媒体が前記所定の条件に合致しない場合に、前記読取動作と前記給紙動作とを同時に実行することを許可する制御部と、
を備える画像形成システム。
【請求項２】
前記制御部は、前記読取動作を禁止することで、前記読取動作と前記給紙動作とを同時に実行することを禁止する、請求項１に記載の画像形成システム。
【請求項３】
前記制御部は、前記給紙動作を禁止することで、前記読取動作と前記給紙動作とを同時に実行することを禁止する、請求項１に記載の画像形成システム。
【請求項４】
前記制御部は、前記給紙動作に対応する前記給紙トレイが、前記複数の給紙トレイのうちの所定の給紙トレイである特定トレイの場合に、前記読取動作と前記給紙動作とを同時に実行することを禁止する、請求項１に記載の画像形成システム。
【請求項５】
前記制御部は、前記読取動作を禁止した後、前記特定トレイからの前記給紙動作が終了したことに応じて、前記読取動作を自動的に許可する、請求項４に記載の画像形成システム。
【請求項６】
前記制御部は、前記読取動作を禁止した後、ユーザーからの所定の操作を受けたことに応じて、前記読取動作を許可する、請求項２に記載の画像形成システム。
【請求項７】
前記制御部は、前記読取動作を禁止した後、前記読取動作にかかるジョブを破棄する、請求項２に記載の画像形成システム。
【請求項８】
前記制御部は、ユーザーからの前記特定トレイの指定を受けて、前記特定トレイを決定する、請求項４に記載の画像形成システム。
【請求項９】
前記制御部は、前記複数の給紙トレイのそれぞれについて、当該給紙トレイの設置位置、当該給紙トレイに格納された前記記録媒体の紙種、及び当該給紙トレイに格納された前記記録媒体の坪量の少なくとも一つに基づいて、当該給紙トレイが前記特定トレイか否かを決定する、請求項４に記載の画像形成システム。
【請求項１０】
前記制御部は、前記給紙動作に対応する前記記録媒体が所定の記録媒体である特定記録媒体の場合に、前記読取動作と前記給紙動作とを同時に実行することを禁止する、請求項１または２に記載の画像形成システム。
【請求項１１】
前記制御部は、前記記録媒体の紙種及び前記記録媒体の坪量の少なくとも一つに基づいて、前記特定記録媒体を決定する、請求項１０に記載の画像形成システム。
【請求項１２】
前記制御部は、前記給紙動作を禁止した後、前記読取動作が終了したことに応じて、前記給紙動作を自動的に許可する、請求項３に記載の画像形成システム。
【請求項１３】
前記制御部は、前記給紙動作を禁止した後、ユーザーからの所定の操作を受けたことに応じて、前記給紙動作を許可する、請求項３に記載の画像形成システム。
【請求項１４】
前記制御部は、前記給紙動作を禁止した後、前記給紙動作にかかるジョブを破棄する、請求項３に記載の画像形成システム。
【請求項１５】
前記原稿読取部の動作中において、自動給紙トレイ切り替え動作を実行する場合、前記特定トレイ以外の前記給紙トレイを自動給紙トレイ切り替え動作の候補給紙トレイとする、請求項４に記載の画像形成システム。
【請求項１６】
前記制御部は、読取動作がプラテン読取モードの場合にのみ、前記読取動作を禁止することで、前記読取動作と前記給紙動作とを同時に実行することを禁止する、請求項２に記載の画像形成システム。
【請求項１７】
前記制御部は、読取動作がプラテン読取モードの場合にのみ、前記給紙動作を禁止することで、前記読取動作と前記給紙動作とを同時に実行することを禁止する、請求項３に記載の画像形成システム。
【請求項１８】
原稿の画像を読み取る読取動作を実行する原稿読取部と、
画像形成に用いる記録媒体を格納する複数の給紙トレイを備え、前記給紙トレイからの前記記録媒体の供給を行う給紙動作を実行する給紙部と、
前記原稿読取部と前記給紙部とを制御する制御部とを備えた画像形成システムにおける制御方法であって、
前記制御部が、
前記給紙動作に対応する前記給紙トレイまたは前記記録媒体が所定の条件に合致する場合に、前記読取動作と前記給紙動作とを同時に実行することを禁止し、前記給紙動作に対応する前記給紙トレイまたは前記記録媒体が前記所定の条件に合致しない場合に、前記読取動作と前記給紙動作とを同時に実行することを許可する制御方法。
【請求項１９】
原稿の画像を読み取る読取動作を実行する原稿読取部と、
画像形成に用いる記録媒体を格納する複数の給紙トレイを備え、前記給紙トレイからの前記記録媒体の供給を行う給紙動作を実行する給紙部と、
前記原稿読取部と前記給紙部とを制御する制御部とを備えた画像形成システムにおける制御プログラムであって、
前記制御部に、
前記給紙動作に対応する前記給紙トレイまたは前記記録媒体が所定の条件に合致する場合に、前記読取動作と前記給紙動作とを同時に実行することを禁止させ、前記給紙動作に対応する前記給紙トレイまたは前記記録媒体が前記所定の条件に合致しない場合に、前記読取動作と前記給紙動作とを同時に実行することを許可させる制御を実行させる制御プログラム。
【発明の詳細な説明】
【技術分野】
【０００１】
本発明は、画像形成システム、特に給紙動作を行う給紙部と読取動作を行う読取部を備える画像形成システム、制御方法及び制御プログラムに関する。
【背景技術】
【０００２】
従来の複合機等の画像形成システムにおいて読取動作、画像形成動作、給紙動作を併せたシステム全体としての生産性を向上するために、給紙装置における給紙動作と、原稿読取装置における読取動作を同時並列に実行する制御方法が従来から適用されている。
【０００３】
しかし、上記従来の制御方法では、給紙装置における給紙動作により振動が発生した場合、その振動が原稿読取装置に伝わり、原稿読取装置が備える光学ユニット等が揺れることによって、読取画像の画質を劣化させるという問題がある。
【０００４】
特許文献１は、原稿の画像を読み取り、デジタル画像データに変換する読取手段と、記録紙を給紙する給紙手段と、記録可能なデータを給紙手段で給紙した記録紙に記録する記録手段と、ホストコンピュータと所定のインターフェースを介して接続され、ホストコンピュータの要求を受信可能なコマンド受信手段を持つ記録装置において、読取手段で原稿を読み取っている間に、コマンド受信手段で、記録開始要求を受信した時、読取手段を一時的に中断させ、給紙処理終了後、原稿画像の読取を読取手段に再開させることで、上記の読取画像の画質劣化の問題を解決している。
【０００５】
特許文献２は、原稿の画像情報を画像読取手段で読み取り、この読み取った画像情報を、印刷手段で印刷または送信手段で外部に送信でき、かつ、外部からの画像情報を受信手段が受信すると、この受信した画像情報を印刷手段で印刷できる画像形成装置において、印刷手段で印刷すべき画像情報を、画像読取手段で読み取って記憶する記憶手段と、この記憶手段に記憶する画像情報を印刷手段で印刷中に、送信手段で送信すべき画像情報を画像読取手段で読み取る場合には、印刷手段の印刷を中止して画像読取手段が読み取りを優先的に行うことで、上記の読取画像の画質の劣化の問題を解決している。
【先行技術文献】
【特許文献】
【０００６】
【特許文献１】特開２００９−１１７９６４号公報
【特許文献２】特開平９−２７０８８３号公報
【発明の概要】
【発明が解決しようとする課題】
【０００７】
しかし特許文献１は、読取手段で原稿を読み取っている時に、コマンド受信手段で記録開始要求を受信した時には必ず読取手段を一時的に中断させてしまうため、読取動作、画像形成動作、給紙動作を併せたシステム全体としての生産性の向上が望めないという問題点がある。
【０００８】
しかし特許文献２は、画像情報の印刷中に、送信手段で送信すべき画像情報を画像読取手段で読み取る場合には、印刷手段の印刷を中止して画像読取手段が読み取りを優先的に行うため、特許文献１と同様に、読取動作、画像形成動作、給紙動作を併せたシステム全体としての生産性の向上が望めないという問題点がある。
【０００９】
一般的に、図１のようなオフィス等で用いられる小型または中型の複合機では、装置の下から順に、給紙装置１００４、画像形成装置１００１、原稿読取装置１００３が配置されることが多い。すなわち、給紙装置１００４と原稿読取装置１００３との間に画像形成装置１００１が配置されることが多い。一方で、図２のようなプリントショップ等で用いられることが多い大型の複合機（プロダクションプリント複合機。以下、ＰＰ複合機と呼ぶことがある。）では、画像形成装置２００１、原稿読取装置２００３、給紙装置２００４が含まれることが多い。ＰＰ複合機は、図２のように給紙装置２００４が多数の給紙トレイを備え、かつそれぞれ給紙トレイが大型であるために、給紙装置２００４が大型になってしまうこともあって、原稿読取装置２００３が給紙装置２００４の上に直接載置されることが多い。このため、ＰＰ複合機においては、小型または中型の複合機と比べて、給紙装置２００４からの振動が原稿読取装置２００３に伝わりやすく、読取画像の画質が劣化しやすいという問題があった。なお、給紙装置の振動により読取画像の画質が劣化するという問題は、図２のような大型の複合機に限ったものではなく、図１のような小型または中型の複合機においても発生しうるものであった。
【００１０】
本発明は、上記問題に鑑みてなされたものであって、読取動作、画像形成動作、給紙動作を併せたシステム全体としての生産性を確保しつつ、読取画像の画質劣化を抑制することができる画像形成システムの制御方法を提供することを目的とする。
【課題を解決するための手段】
【００１１】
上記課題は、以下の手段によって解決される。
【００１２】
（１）原稿の画像を読み取る読取動作を実行する原稿読取部と、画像形成に用いる記録媒体を格納する複数の給紙トレイを備え、給紙トレイからの記録媒体の供給を行う給紙動作を実行する給紙部と、給紙動作に対応する給紙トレイまたは記録媒体が所定の条件に合致する場合に、読取動作と給紙動作とを同時に実行することを禁止し、給紙動作に対応する給紙トレイまたは記録媒体が所定の条件に合致しない場合に、読取動作と給紙動作とを同時に実行することを許可する制御部と、を備える画像形成システム。
【００１３】
（２）制御部は、読取動作を禁止することで、読取動作と給紙動作とを同時に実行することを禁止する、（１）に記載の画像形成システム。
【００１４】
（３）制御部は、給紙動作を禁止することで、読取動作と給紙動作とを同時に実行することを禁止する、（１）に記載の画像形成システム。
【００１５】
（４）制御部は、給紙動作に対応する給紙トレイが、複数の給紙トレイのうちの所定の給紙トレイである特定トレイの場合に、読取動作と給紙動作とを同時に実行することを禁止する、（１）に記載の画像形成システム。
【００１６】
（５）制御部は、読取動作を禁止した後、特定トレイからの給紙動作が終了したことに応じて、読取動作を自動的に許可する、（４）に記載の画像形成システム。
【００１７】
（６）制御部は、読取動作を禁止した後、ユーザーからの所定の操作を受けたことに応じて、読取動作を許可する、（２）に記載の画像形成システム。
【００１８】
（７）制御部は、読取動作を禁止した後、読取動作にかかるジョブを破棄する、（２）に記載の画像形成システム。
【００１９】
（８）制御部は、ユーザーからの特定トレイの指定を受けて、特定トレイを決定する、（４）に記載の画像形成システム。
【００２０】
（９）制御部は、複数の給紙トレイのそれぞれについて、給紙トレイの設置位置、給紙トレイに格納された記録媒体の紙種、及び給紙トレイに格納された記録媒体の坪量の少なくとも一つに基づいて、給紙トレイが特定トレイか否かを決定する、（４）に記載の画像形成システム。
【００２１】
（１０）制御部は、給紙動作に対応する記録媒体が所定の記録媒体である特定記録媒体の場合に、読取動作と給紙動作とを同時に実行することを禁止する、（１）または（２）に記載の画像形成システム。
【００２２】
（１１）制御部は、記録媒体の紙種及び記録媒体の坪量の少なくとも一つに基づいて、特定記録媒体を決定する、（１０）に記載の画像形成システム。
【００２３】
（１２）制御部は、給紙動作を禁止した後、読取動作が終了したことに応じて、給紙動作を自動的に許可する、（３）に記載の画像形成システム。
【００２４】
（１３）制御部は、給紙動作を禁止した後、ユーザーからの所定の操作を受けたことに応じて、給紙動作を許可する、（３）に記載の画像形成システム。
【００２５】
（１４）制御部は、給紙動作を禁止した後、給紙動作にかかるジョブを破棄する、（３）に記載の画像形成システム。
【００２６】
（１５）原稿読取部の動作中において、自動給紙トレイ切り替え動作を実行する場合、特定トレイ以外の給紙トレイを自動給紙トレイ切り替え動作の候補給紙トレイとする、（４）に記載の画像形成システム。
【００２７】
（１６）制御部は、読取動作がプラテン読取モードの場合にのみ、読取動作を禁止することで、読取動作と給紙動作とを同時に実行することを禁止する、（２）に記載の画像形成システム。
【００２８】
（１７）制御部は、読取動作がプラテン読取モードの場合にのみ、給紙動作を禁止することで、読取動作と給紙動作とを同時に実行することを禁止する、（３）に記載の画像形成システム。
【００２９】
（１８）原稿の画像を読み取る読取動作を実行する原稿読取部と、画像形成に用いる記録媒体を格納する複数の給紙トレイを備え、給紙トレイからの記録媒体の供給を行う給紙動作を実行する給紙部と、原稿読取部と給紙部とを制御する制御部とを備えた画像形成システムにおける制御方法であって、制御部が、給紙動作に対応する給紙トレイまたは記録媒体が所定の条件に合致する場合に、読取動作と給紙動作とを同時に実行することを禁止し、給紙動作に対応する給紙トレイまたは記録媒体が所定の条件に合致しない場合に、読取動作と給紙動作とを同時に実行することを許可する制御方法。
【００３０】
（１９）原稿の画像を読み取る読取動作を実行する原稿読取部と、画像形成に用いる記録媒体を格納する複数の給紙トレイを備え、給紙トレイからの記録媒体の供給を行う給紙動作を実行する給紙部と、原稿読取部と給紙部とを制御する制御部とを備えた画像形成システムにおける制御プログラムであって、制御部に、給紙動作に対応する給紙トレイまたは記録媒体が所定の条件に合致する場合に、読取動作と給紙動作とを同時に実行することを禁止させ、給紙動作に対応する給紙トレイまたは記録媒体が所定の条件に合致しない場合に、読取動作と給紙動作とを同時に実行することを許可させる制御を実行させる制御プログラム。
【発明の効果】
【００３１】
本発明によると、給紙動作に対応する給紙トレイまたは記録媒体が所定の条件に合致する場合に、読取動作と給紙動作とを同時に実行することを禁止するため、読取動作を実行中は所定の条件における給紙動作による振動が発生することがないので、所定の条件における給紙動作に起因する読取画像の画質劣化を抑制することができる。さらに、所定の条件に合致しない場合に、読取動作と給紙動作とを同時に実行することを許可するため、システム全体としての生産性を確保しつつ、読取画像の画質劣化を抑制することができる。
【図面の簡単な説明】
【００３２】
【図１】オフィス等で用いられる小型または中型の複合機の外観を示す図である。
【図２】プリントショップ等で用いられる大型の複合機の外観を示す図である。
【図３】画像形成システムの外観を示す図である。
【図４】画像形成システムの機能構成を示すブロック図である。
【図５】特定トレイを説明する図である。
【図６】実施形態１の処理を説明するフローチャートである。
【図７】特定トレイの指定を受け付けるときに表示される操作画面を示す図である。
【図８】特定トレイを自動的に決定するときに参照するテーブルを示す図である。
【図９】実施形態１の変形例の処理を説明するフローチャートである。
【図１０】実施形態１の他の変形例の処理を説明するフローチャートである。
【図１１】実施形態２の処理を説明するフローチャートである。
【図１２】実施形態２の変形例の処理を説明するフローチャートである。
【図１３】実施形態３の処理を説明するフローチャートである。
【図１４】ジョブスケジューリング画面を示す図である。
【図１５】ジョブスケジューリング画面を示す図である。
【発明を実施するための形態】
【００３３】
（実施形態１）
以下、本発明の実施の形態についてさらに詳細に説明すべく、本発明の実施例に係る画像形成システム１０の構成及びその動作について、図面を参照して説明する。
【００３４】
図３に、本実施形態に係る画像形成システム１０の外観を示す。画像形成システム１０は、画像形成装置１１、後処理装置１２、原稿読取装置１３、給紙装置１４、操作装置１６を備える。画像形成システム１０において、水平方向に、給紙装置１４と画像形成装置１１と後処理装置１２とが並んで連結され、原稿読取装置１３は給紙装置１４の上に設置され、操作装置１６は画像形成装置１１の上に設置される。
【００３５】
原稿読取装置１３は、ＡＤＦ（Auto Document Feeder）１３２と読取部１３１とを備える。ＡＤＦ１３２は、原稿台にセットされた原稿束から原稿を一枚ずつ繰り出し、その原稿を読取部１３１の読取位置を経由して排紙台へと搬送する。ＡＤＦ１３２は、原稿台に原稿がセットされたかどうかを検知するための、ＡＤＦ原稿検知センサーを備える。
【００３６】
読取部１３１は、ＡＤＦ１３２により搬送された原稿、またはユーザーによりプラテンガラス上にセットされた原稿の画像を光学的に読み取り、画像データを生成し、生成した画像データをメモリー（ＲＡＭ１５２・ＨＤＤ１５４。詳細は後述する）に格納する。読取部１３１は、プラテン上に原稿がセットされたかどうかを検知するための、プラテン原稿検知センサーを備える。
【００３７】
画像形成システム１０は、ＡＤＦ原稿検知センサーとプラテン原稿検知センサーの検知結果に基づいて、読み取る原稿が原稿台にセットされているかプラテン上にセットされているかを判断することができる。
【００３８】
以下の説明において、原稿読取装置１３が、制御部１５の指示に従い、ＡＤＦ１３２の原稿台に設置された原稿、またはユーザーによりプラテンガラス上にセットされた原稿の画像を光学的に読み取り、画像データを生成し、生成した画像データをメモリーに格納する、一連の動作のことを、読取動作と呼ぶことがある。
【００３９】
画像形成装置１１は、原稿読取装置１３により生成された画像データ、または外部に接続された装置（外部装置２３）から受信した画像データに基づいて、給紙装置１４から供給される記録紙に対し、電子写真方式により画像形成を行う。なお、画像形成の方式は、インクジェット方式や、他の方式でも構わない。画像形成装置１１は、制御部１５を備える。制御部１５は、画像形成装置１１、後処理装置１２、原稿読取装置１３、給紙装置１４及び操作装置１６の動作を制御することにより、画像形成システム１０全体の機能を実現する。
【００４０】
以下の説明において、画像形成装置１１が、制御部１５の指示に従い、原稿読取装置１３により生成されてメモリーに格納されている画像データまたは外部に接続された装置（外部装置２３）から受信してメモリーに格納されている画像データに基づいて、給紙装置１４から供給される記録紙に対し画像形成を行う動作を画像形成動作と呼ぶことがある。
【００４１】
給紙装置１４は、５段の給紙トレイを備え、それぞれの給紙トレイは、記録紙の種類（塗工紙・普通紙・カラー紙等）や坪量、サイズ（Ａ５・Ａ４・Ａ３等）の異なる記録紙を格納可能である。給紙装置１４は、制御部１５の指示に従い、５段の給紙トレイのうちのいずれかの給紙トレイから画像形成装置１１に記録紙を供給する。画像形成に利用する給紙トレイの指定や記録紙の種類や記録紙の坪量、記録紙のサイズの指定は、操作装置１６、若しくは、外部装置２３から設定できる。
【００４２】
以下の説明において、給紙装置１４が、制御部１５の指示に従い、５段の給紙トレイのうちのいずれかの給紙トレイから画像形成装置１１に対して記録紙を供給する動作を給紙動作と呼ぶことがある。
【００４３】
後処理装置１２は、画像形成装置１１により画像形成された記録紙を受け入れ、記録紙に対し、制御部１５の指示に従い、折り、綴じ、穴あけ等の後処理を施して排出する。
【００４４】
操作装置１６は、ディスプレイ、タッチパネル、操作キーを備える。ディスプレイは、例えば、液晶ディスプレイ（ＬＣＤ…Liquid Crystal Display）であり、操作画面を表示する。タッチパネルは、液晶ディスプレイの画面上に設けられ、ペンや指等で押下された座標位置を検知する。操作キーは、例えばハードキーであり、モード選択ボタンやテンキー、スタートキーを含む。モード選択ボタンは、画像形成システム１０の動作モードを選択するためのボタンであり、例えば、画像形成システム１０をコピーモードに設定するためのコピーモードボタンや、画像形成システム１０をスキャンモードに設定するためのスキャンモードボタンを含む。テンキーは数字や記号の入力を受け付ける。スタートキーは画像形成システム１０の動作開始の指示を受け付ける。
【００４５】
操作装置１６は、タッチパネル、モード選択ボタン及び操作スイッチを介して、ユーザーから、ジョブ開始の指示、読取設定の入力、印刷設定の入力等の操作を受け付ける。印刷設定は、例えば、画像形成で利用するトレイ、記録紙の種類（塗工紙・普通紙・カラー紙等）、記録紙の坪量、記録紙のサイズ（Ａ５・Ａ４・Ａ３等）を指定する情報である。
【００４６】
図４は、画像形成システム１０の機能構成を示すブロック図である。画像形成システム１０は、画像形成装置１１、後処理装置１２、読取部１３１とＡＤＦ１３２からなる原稿読取装置１３、給紙装置１４、制御部１５、操作装置１６、インターフェース部１７を含み、これらはバス２１を介して接続されている。
【００４７】
制御部１５は、ＣＰＵ（Central  Processing  Unit）１５１、ＲＡＭ（Random  Access  Memory）１５２やＲＯＭ（Read  Only  Memory）１５３、ＨＤＤ（Hard  Disc  Drive）１５４を含む。
【００４８】
ＣＰＵ１５１は、ＯＳ（Operating  System）プログラムをベースとし、その上で、ミドルウェアやアプリケーションプログラム等を実行する。ＣＰＵ１５１は、ＲＯＭ１５３に格納されたプログラムを実行することで画像形成システム１０の各機能を実現する。
【００４９】
ＲＡＭ１５２はＣＰＵ１５１がプログラムを実行する際に各種のデータを一時的に格納するワークメモリーや画像データを格納する画像メモリー等として使用される。
【００５０】
ＲＯＭ１５３には、ＣＰＵ１５１が各部の制御のために実行するプログラムや、画像形成システム１０の処理に必要な情報が格納されている。これらＲＯＭ１５３に格納されたプログラムや情報はＣＰＵ１５１により必要に応じて呼び出され、ＲＡＭ１５２上に格納された上で、ＣＰＵ１５１により処理される。
【００５１】
ＨＤＤ１５４は、大容量の不揮発性の記憶装置であり、原稿読取装置１３が生成した画像データや、ＬＡＮＩＦ（Local  Area  Network  Interface）１７１等を介して外部装置２３から受信した印刷に関する画像データ（印刷データ）を格納する。
【００５２】
インターフェース部１７は、例えばＬＡＮインターフェース１７１（ＬＡＮＩＦ１７１）を含み、ＬＡＮＩＦ１７１は、ＬＡＮ（Local  Area  Network）２２等のネットワークを介して外部装置（ＰＣ装置等）２３と接続される。画像形成システム１０は、インターフェース部１７を介して、外部装置２３と通信することが可能であり、外部装置２３から印刷データを受信し、また、外部装置２３に原稿読取装置１３が生成した画像データを送信する。なお、ＬＡＮＩＦ１７１を介した外部装置２３との接続方法については、有線（有線ＬＡＮ）でも、無線（無線ＬＡＮ）でも構わない。
【００５３】
インターフェース部１７はＬＡＮＩＦ１７１の他にＵＳＢポートＩＦ（図示省略）を備えている。画像形成システム１０は、ＵＳＢポートＩＦを介して、例えばＵＳＢメモリー等の記憶媒体と通信することが可能であり、ＵＳＢメモリー等の記憶媒体から印刷データを取得し、またＵＳＢメモリー等の記憶媒体に原稿読取装置１３が生成した画像データを記録させる。
【００５４】
画像形成装置１１、後処理装置１２、原稿読取装置１３（読取部１３１、ＡＤＦ１３２）、給紙装置１４、操作装置１６については、図３の説明において記載しているので、繰り返しの説明は省略する。
【００５５】
以下に、画像形成システム１０が実行する、コピー動作、プリント動作、スキャン動作について説明する。
【００５６】
コピー動作は、原稿の画像を読み取り、その画像データに基づいて画像形成を行う動作モードである。コピー動作において、画像形成システム１０は、上述の読取動作、画像形成動作、給紙動作を実行する。
【００５７】
画像形成システム１０は、ユーザーが、原稿読取装置１３に原稿をセットし、操作装置１６が備えるコピーモードボタンを押下し、さらにスタートキーを押下したことを受けて、コピー動作を実行する。具体的には、原稿読取装置１３が、セットされた原稿の画像データを生成し、画像形成装置１１が、原稿読取装置１３が生成した画像データに基づいて、給紙装置１４が給紙する記録紙に対して画像形成を行う。つまり、コピー動作は、原稿読取装置１３による読取動作と、給紙装置１４による給紙動作と、画像形成装置１１による画像形成処理とを含む。
【００５８】
ユーザーにより原稿読取装置１３の読取部１３１が備えるプラテンガラス上に原稿がセットされたときには、読取部１３１は、プラテンガラスに沿って、読取部１３１が備える光学ユニット等を走査することで原稿の画像を読み取り、画像データを生成する。この様に、プラテンガラス上に原稿がセットされたときの原稿読取装置１３の動作をプラテン読取モードと呼ぶことがある。
【００５９】
一方、ユーザーにより原稿読取装置１３のＡＤＦ１３２が備える原稿台に原稿がセットされたときには、ＡＤＦ１３２は原稿を一枚ずつ読取部１３１の読取位置へ自動的に搬送し、読取部１３１は、光学ユニット等を読取位置に停止させた状態で、ＡＤＦ１３２により自動搬送される原稿の画像を読み取り、画像データを生成する。この様に、ＡＤＦ１３２に原稿がセットされたときの原稿読取装置１３の動作をＡＤＦ読取モードと呼ぶことがある。
【００６０】
プリント動作は、外部装置２３から受信した画像データ、ＵＳＢポートＩＦに接続されたＵＳＢメモリー等の記録媒体から取得した画像データ、または予めＨＤＤ１５４に格納されている画像データに基づいて画像形成を行う動作モードである。プリント動作において、画像形成システム１０は、外部装置２３等からの画像データの取得、及び画像形成動作を実行する。
【００６１】
画像形成システム１０は、外部装置２３から受信した画像データの画像形成を行うときには、ユーザーがＬＡＮＩＦ１７１を介して外部装置２３からプリントジョブとして印刷データを投入したことを受けてプリント動作を実行する。具体的には、制御部１５がプリントジョブを解析することで画像形成に用いる画像データを生成し、画像形成装置１１が、制御部１５が生成した画像データに基づいて、給紙装置１４が給紙する記録紙に対して画像形成を行う。つまり、プリント動作は、給紙装置１４による給紙動作と、画像形成装置１１による画像形成処理とを含む。
【００６２】
なお、画像形成システム１０はファクス受信が可能であり、電話回線を介して他のファクス装置から受信した画像データに基づいて画像形成が可能である。本実施形態におけるプリント動作には、ファクス受信した画像データに基づいて画像形成を行うことも含む。
【００６３】
スキャン動作は、原稿の画像を読み取り、その画像データを外部装置２３に送信（出力）する、またはＨＤＤ１５４に格納（出力）する動作モードである。スキャン動作において、画像形成システム１０は、読取動作、及び読取動作で取得した画像データの出力を実行する。
【００６４】
画像形成システム１０は、ユーザーが、原稿読取装置１３に原稿をセットし、操作装置１６が備えるスキャンモードボタンを押下し、さらにスタートキーを押下したことを受けて、スキャン動作を実行する。具体的には、画像データを外部装置２３に送信するときには、原稿読取装置１３が、セットされた原稿の画像データを生成し、ＬＡＮＩＦ１７１を介して外部装置２３に送信する。外部装置２３への送信には、例えば、Ｅｍａｉｌ、ＳＭＢ（Server Message Block）、ＦＴＰ（File Transfer Protocol）を用いることができる。生成した画像データは、外部装置２３に送信せずに（または送信に加えて）ＨＤＤ１５４内のボックス（フォルダー）やＵＳＢポートＩＦに接続されたＵＳＢメモリー等の記録媒体に格納しても良い。つまり、スキャン動作は、原稿読取装置１３による読取動作を含む。
【００６５】
原稿読取装置１３は、スキャン動作においても、コピー動作と同様に、ユーザーが原稿をプラテンガラス上にセットしたかＡＤＦ１３２にセットしたかに応じて、プラテン読取モードとＡＤＦ読取モードとを切り替える。
【００６６】
なお、画像形成システム１０はファクス送信が可能であり、電話回線を利用して、原稿読取装置１３が生成した画像データを他のファクス装置に送信可能である。本実施形態におけるスキャン動作は、読み取った画像データをファクス送信することも含む。
【００６７】
画像形成システム１０は、原稿読取装置１３による原稿の読取動作と、給紙装置１４による給紙動作とを同時並列に実行することができる。画像形成システム１０が読取動作と給紙動作を同時並列に実行する具体的なケースを以下に説明する。
【００６８】
（ケース１：同一コピージョブ）
画像形成システム１０は、複数ページの原稿に対応する一つのコピージョブを実行するとき、複数ページのうちの先のページに関する給紙動作と、後のページに関する読取動作とを同時並列に実行する。例えば、原稿読取装置１３が、１０ページの原稿のうちの５ページ目までの読取動作を完了した後、原稿読取装置１３は６ページ目の読取動作を行い、給紙装置１４は１ページ目の給紙動作を行う。この場合に、読取動作と給紙動作が同時並列に実行される。本ケースをケース１と呼ぶことがある。
【００６９】
（ケース２：異なるコピージョブ）
画像形成システム１０は、異なる複数のコピージョブを連続して行うとき、先のジョブに関する給紙動作と、後のジョブに関する読取動作とを同時並列に実行する。本ケースをケース２と呼ぶことがある。
【００７０】
（ケース３：コピージョブとプリントジョブ）
画像形成システム１０は、プリントジョブが実行されている状態でコピージョブが指示されたとき、またはコピージョブが実行されている状態でプリントジョブが指示されたときに、読取動作と給紙動作とを同時並列に実行する。具体的には、プリントジョブが実行されている状態でコピージョブが指示されると、画像形成システム１０は、プリントジョブに関する給紙動作とコピージョブに関する読取動作とを同時並列に実行する。また、コピージョブの読み込みが実行されている状態でプリントジョブが指示されると、画像形成システム１０は、コピージョブに関する読取動作とプリントジョブに関する給紙動作とを同時並列に実行する。本ケースをケース３と呼ぶことがある。
【００７１】
（ケース４：スキャンジョブとプリントジョブ）
画像形成システム１０は、プリントジョブが実行されている状態でスキャンジョブが指示されたとき、またはスキャンジョブが実行されている状態でプリントジョブが指示されたときに、読取動作と給紙動作を同時並列に実行する。本ケースをケース４と呼ぶことがある。
【００７２】
（ケース５：スキャンジョブとコピージョブ）
画像形成システム１０は、コピージョブが実行されている状態でスキャンジョブが指示されたときに、読取動作と給紙動作を同時並列に実行する。具体的には、コピージョブの給紙動作が実行されている状態でスキャンジョブが指示されると、画像形成システム１０は、コピージョブに関する給紙動作とスキャンジョブに関する読取動作とを同時並列に実行する。本ケースをケース５と呼ぶことがある。
【００７３】
図３を参照して、本実施形態の画像形成システム１０においては、給紙装置１４上に原稿読取装置１３が載置されているため、給紙装置１４による給紙動作によって発生した振動が原稿読取装置１３に伝わりやすい。さらに、給紙トレイ１または給紙トレイ２は、給紙トレイ３〜５と比較して原稿読取装置１３に近いため、それらの給紙トレイに関する給紙動作によって発生した振動は、給紙トレイ３〜５と比較して原稿読取装置１３に伝わりやすい。
【００７４】
よって、原稿読取装置１３に近い給紙トレイ１または給紙トレイ２からの給紙動作を実行している間に、原稿読取装置１３による読取動作を実行すると、給紙動作で発生した振動が原稿読取装置１３の読取動作に悪影響を与え、読取画像の画質が劣化するという問題がある。
【００７５】
なお、上記の問題は、図３に示す様な原稿読取装置１３が給紙装置１４上に設置された画像形成システム１０に限定された問題ではなく、図１に記載したオフィス等で用いられる小型または中型の複合機の様に、給紙装置１４と原稿読取装置１３の間に画像形成装置１１があるような装置の場合でも、給紙動作と読取動作とを同時に実行すると、発生しうるものである。
【００７６】
以下の説明においては、図５を参照して、図中ハッチングで示す給紙トレイ１、給紙トレイ２のように、画像形成システム１０が備える複数のトレイのうち、読取動作と給紙動作を同時に実行した場合に、給紙動作により発生する振動が原因で、所定レベル以上の読取画像の画質劣化（例えば、ユーザーにとって許容できないレベルの画質劣化）を起こしうるトレイのことを、特定トレイ１４１と呼ぶ。この特定トレイ１４１は、後述するようにユーザーによって予め設定されるものである。また、特定トレイ１４１は、画像形成システム１０自体により、給紙トレイの位置や記録紙の種類・記録紙の坪量等に基づいて自動的に決定される。
【００７７】
実施形態１に係る画像形成システム１０は、特定トレイ１４１からの給紙動作と読取動作とを同時に実行することを禁止することを一つの特徴とする。画像形成システム１０は、特定トレイ１４１からの給紙動作と読取動作とを同時に実行することを禁止することにより、読取動作、画像形成動作、給紙動作を併せた画像形成システム１０全体としての生産性を確保しつつ、読取画像の画質劣化を抑制することができる。
【００７８】
実施形態１に係る画像形成システム１０は、読取動作と給紙動作とが同時に実行されうる状況において、給紙動作の実行状況に応じて、読取動作を許可するか否かを切り替えることにより、特定トレイ１４１からの給紙動作と読取動作とが同時に実行されることを禁止する制御を行う。
【００７９】
図６は本実施形態の処理を説明するフローチャートである。ＣＰＵ１５１は、ＲＯＭ１５３に記録されたプログラムに基づいて図６のフローチャートに示す処理を実行する。
【００８０】
図６を参照して、画像形成システム１０は、ユーザーが原稿読取装置１３に原稿をセットし、コピーモード（またはスキャンモード）に設定した状態で操作装置１６上のスタートキーを押下した（ステップＳ６１）ことを受けて、その時点で、特定トレイ１４１からの給紙動作を実行中か否かを判断する（ステップＳ６２）。特定トレイ１４１からの給紙動作を実行中であった場合（ステップＳ６２：Ｙｅｓ）、読取動作の開始を禁止し（ステップＳ６３）、ステップＳ６２の処理に戻る。
【００８１】
画像形成システム１０は、特定トレイ１４１からの給紙動作を実行中でない場合（ステップＳ６２：Ｎｏ）、読取動作の開始を許可する（ステップＳ６４）。
【００８２】
つまり、画像形成システム１０は、読取動作の開始が指示されたときに特定トレイ１４１からの給紙動作を実行していた場合は、読取動作をすぐには開始せずに、特定トレイ１４１からの給紙動作の終了を待って、読取動作を開始する。
【００８３】
画像形成システム１０は、読取動作を開始した後も、特定トレイ１４１からの給紙動作を実行中か否かを判断する（ステップＳ６５）。特定トレイ１４１からの給紙動作を実行中であった場合（ステップＳ６５：Ｙｅｓ）、ステップＳ６４で開始した読取動作を禁止し（ステップＳ６６）、ステップＳ６５の処理に戻る。
【００８４】
画像形成システム１０は、特定トレイ１４１からの給紙動作を実行中でない場合（ステップＳ６５：Ｎｏ）、読取動作を許可する（ステップＳ６７）。
【００８５】
つまり、画像形成システム１０は、読取動作を開始した後も、特定トレイ１４１からの給紙動作の実行を監視し、特定トレイ１４１の給紙動作を実行している間は読取動作を禁止し、特定トレイ１４１からの給紙動作の終了を待って、読取動作を再開する。
【００８６】
画像形成システム１０は、コピージョブに関する全ての読取動作が終了したかどうかを判断する（ステップＳ６８）。例えば、ユーザーによりセットされた原稿が複数枚である場合に、全ての原稿についての読取動作が終了したかどうかを判断する。まだ読取動作が終了していない場合（ステップＳ６８：Ｎｏ）、ステップＳ６５の処理に戻る。
【００８７】
全ての原稿についての読取動作が終了した場合（ステップＳ６８：Ｙｅｓ）、画像形成システム１０は、原稿読取装置１３による読取動作を終了させる。
【００８８】
ここで、前述した読取動作と画像形成動作とが同時並列に実行される具体的なケースと図６のフローチャートとの関係について説明する。
【００８９】
（ケース１：同一コピージョブ）
ケース１においては、スタートキーを押下したときに同一コピージョブに関する給紙動作が実行中ということはありえないので、スタートキー押下時に読取動作が禁止されることはない（ステップＳ６２でＮｏ）。一方、読取動作が進み、先のページの給紙動作と後のページの読取動作とが同時に実行されうる状況で、特定トレイ１４１からの給紙動作が実行されると（ステップＳ６５でＹｅｓ）、読取動作を禁止し（ステップＳ６６）、特定トレイ１４１からの給紙動作の終了した時点、つまり特定トレイ１４１以外の給紙動作に移行した時点で読取動作を再開する（ステップＳ６７）。
【００９０】
（ケース２：異なるコピージョブ）
ケース２においては、後のコピージョブについてスタートキーを押下したときに、先のコピージョブについて特定トレイ１４１からの給紙動作が実行されていると（ステップＳ６２でＹｅｓ）、後のコピージョブの読取動作を禁止し（ステップＳ６３）、特定トレイ１４１からの給紙動作の終了を待って（ステップＳ６２でＮｏ）、読取動作を開始する（ステップＳ６４）。その後、先のコピージョブについての給紙動作と後のコピージョブについての読取動作とが同時に実行されうる状況で、特定トレイ１４１からの給紙動作が実行されると（ステップＳ６５でＹｅｓ）、読取動作を禁止し（ステップＳ６６）、特定トレイ１４１からの給紙動作の終了した時点、つまり特定トレイ１４１以外の給紙動作に移行した時点で読取動作が再開する（ステップＳ６７）。
【００９１】
なお、先のコピージョブについての給紙動作が終了した後、後のコピージョブについての読取動作と給紙動作が同時に実行される状況が発生しうるが、その場合についても、ステップＳ６５において、特定トレイ１４１からの給紙動作が実行されるか否かを判断し、特定トレイ１４１からの給紙動作が実行されると判断した場合には（ステップＳ６５でＹｅｓ）、読取動作を禁止する（ステップＳ６６）。このように、複数のジョブが連続して実行される場合であっても、ステップＳ６５における判断は、複数のジョブに跨って継続して実行される。これは他のケースについても同様であり、繰り返しの説明は省略する。
【００９２】
（ケース３：コピージョブとプリントジョブ）
ケース３は、上述のケース２の説明における、先のコピージョブをプリントジョブに置き換えたものなので、詳細な説明は省略する。
【００９３】
（ケース４：スキャンジョブとプリントジョブ）
ケース４は、上述のケース２の説明における、後のコピージョブをスキャンジョブに置き換え、先のコピージョブをプリントジョブに置き換えたものなので、詳細な説明は省略する。
【００９４】
（ケース５：スキャンジョブとコピージョブ）
ケース５は、上述のケース２の説明における、後のコピージョブをスキャンジョブに置き換えたものなので詳細な説明は省略する。
【００９５】
上述した図６のフローチャートの説明においては、画像形成システム１０は、特定トレイ１４１からの給紙動作が実行されている場合、読取動作を禁止した後、特定トレイ１４１からの給紙動作が終了したことを受けて、自動的に読取動作を許可（再開）することとしたが、読取動作を禁止した後の処理内容として以下の処理を採用することもできる。
【００９６】
画像形成システム１０は、読取動作を禁止した後、自動的に読取動作を再開せずに、ユーザーからの所定の操作（例えば、操作装置１６上のスタートキーの押下）を待って、読取動作を再開することもできる。
【００９７】
また、画像形成システム１０は、読取動作を禁止した後、禁止した読取動作にかかるジョブを破棄しても良い。なお、ケース１の場合は、給紙動作に対応するジョブと読取動作に対応するジョブとが同一のジョブであり、禁止した読取動作にかかるジョブを破棄してしまうと画像形成動作（給紙動作）自体が行われなくなってしまうので、その様なケースでは、破棄する方法は採用しないことが望ましい。
【００９８】
本実施形態に係る画像形成システム１０によると、読取動作開始時または読取動作実行中に、特定トレイ１４１からの給紙動作が実行される場合、読取動作を禁止するので、特定トレイ１４１からの給紙動作時に発生する振動が原稿読取装置１３内の光学ユニット等に伝導したとしても、特定トレイ１４１からの給紙動作中は読取動作が行われず、特定トレイ１４１からの給紙動作中以外のタイミングで読取動作を行うため、読取画像の画質劣化を抑制することができる。
【００９９】
また、特定トレイ１４１以外の給紙トレイについては、特定トレイ１４１と比べて給紙動作中に発生する振動が弱く、画質劣化への影響が小さいところ、特定トレイ１４１以外の給紙トレイについては給紙動作と読取動作を同時に実行するので、読取動作、画像形成動作、給紙動作を併せた画像形成システム１０全体としての生産性を確保しつつ、読取画像の画質劣化を抑制することができる。
【０１００】
特定トレイ１４１を決定する方法には二つの方法がある。一つ目はユーザー（画像形成システム１０の管理者等）が手動で決定する（指定する）方法であり、二つ目は画像形成システム１０が自動的に決定する方法である。画像形成システム１０は、管理者による設定に基づいて、上記二つの方法のうちのいずれかの方法を選択する。
【０１０１】
図７は、ユーザーから特定トレイ１４１の指定を受け付けるときに、操作装置１６上に表示される操作画面（特定トレイ設定画面７）である。図８は、画像形成システム１０が特定トレイ１４１を自動的に決定するときに参照するテーブルである。
【０１０２】
図７を参照して、特定トレイ設定画面７は、トレイ表示エリア７１、プロパティ情報７２、ＯＫボタン７３、キャンセルボタン７４を含む。
【０１０３】
トレイ表示エリア７１は、画像形成システム１０が備える全ての給紙トレイに対応するキー（トレイキー）を表示する。本実施形態に係る画像形成システム１０は、図３を参照して、五つの給紙トレイを備えているので、トレイ表示エリア７１には５個のトレイキー７１１〜７１５が表示される。
【０１０４】
プロパティ情報７２は、画像形成システム１０のシリアル番号と画像形成システム１０の管理者名を含む。プロパティ情報７２として、管理者の内線番号やＩＤ等を含めても良い。
【０１０５】
ＯＫボタン７３は特定トレイ設定画面７で変更した設定内容を確定させるためのボタンである。キャンセルボタン７４は、特定トレイ設定画面７で変更した設定内容を破棄させるためのボタンである。
【０１０６】
ユーザーは、特定トレイ設定画面７上で特定トレイ１４１を指定するとき、トレイ表示エリア７１内に表示されたトレイキーの中から所望の給紙トレイに対応するトレイキーをタッチし、ＯＫボタン７３を押下することで、特定トレイ１４１を指定することができる。なお、操作装置１６が備えるハードキーを介して、ユーザーから特定トレイ１４１の指定を受け付ける様にしても良い。
【０１０７】
操作装置１６は、特定トレイ１４１に指定された給紙トレイに対応するトレイキーを、他のトレイキーと識別可能な態様で表示する。図７は、給紙トレイ１と給紙トレイ２が特定トレイ１４１に指定された状態を示しており、給紙トレイ１と給紙トレイ２に対応するトレイキーが強調表示されている。
【０１０８】
なお、特定トレイ１４１を指定する操作は操作装置１６上で行えることが望ましいが、外部装置２３に特定トレイ設定画面７を表示させて、外部装置２３においてユーザーに特定トレイ１４１の指定を行わせる様にしても良い。
【０１０９】
なお、特定トレイ１４１は、画像形成システム１０の特性を熟知したユーザーが指定することが好ましいため、例えば、画像形成システム１０の管理者に対してのみ特定トレイ１４１の指定を許可するために、特定トレイ設定画面７に移行する前にパスワードの入力を要求する様にしても良い。
【０１１０】
画像形成システム１０は、ユーザーから特定トレイ１４１の指定を受け付ける代わりに、自機が備える給紙トレイのうちから特定トレイ１４１を自動的に決定することもできる。具体的には、画像形成システム１０は、自機が備える給紙トレイ１〜５のそれぞれについて、給紙トレイの位置（トレイ位置）、格納された記録紙の種類（紙種）、格納された記録紙の坪量に基づいて、特定トレイ１４１か否かを自動的に決定する。ここで、紙種は、一例として、普通紙、カラー紙、塗工紙とするが、それ以外の紙種を含めることもできる。
【０１１１】
画像形成システム１０は、自機が備える給紙トレイ１〜５のうち、原稿読取装置１３の近傍に設置された給紙トレイを特定トレイ１４１に決定する。これは、原稿読取装置１３の近傍に設置された給紙トレイの方が、給紙動作により発生する振動が原稿読取装置１３に伝わりやすく、画質劣化への影響が大きいからである。
【０１１２】
また、画像形成システム１０は、自機が備える給紙トレイ１〜５のうち、所定の記録紙が格納された給紙トレイを特定トレイ１４１に決定する。具体的には、特定の紙種の記録紙が格納された給紙トレイを特定トレイ１４１に決定する。また、特定の坪量の記録紙が格納された給紙トレイを特定トレイ１４１に決定する。これは、紙種や坪量に応じて、記録紙の厚さや硬さ、摩擦係数が異なるため、それらに応じて給紙動作時に発生する振動が変動するからである。紙種については、普通紙、カラー紙、塗工紙の順で給紙時に発生する振動が大きくなる。坪量については、坪量が大きいほど給紙時に発生する振動が大きくなる。
【０１１３】
図８は、画像形成システム１０が特定トレイ１４１を自動的に決定するときに参照するテーブルである。画像形成システム１０は、図８に示すテーブルをＨＤＤ１５４に記憶している。なお、説明の便宜上、図８においては、給紙トレイ４及び給紙トレイ５についての情報は省略し、給紙トレイ１〜３に対応する情報のみを記述している。
【０１１４】
図８に示すテーブルには、トレイ位置と紙種と坪量の全ての組み合わせについて、特定トレイ１４１とするか非特定トレイとするかの決定結果が記述されている。
【０１１５】
図８を参照して、トレイ位置の観点では、原稿読取装置１３に近い給紙トレイほど特定トレイ１４１に決定されやすくなっている。それは、給紙トレイ３では特定トレイ１４１に決定される紙種と坪量の組み合わせがなく、給紙トレイ２では三つの組み合わせが特定トレイ１４１となるのに対し、給紙トレイ１では五つの組み合わせで特定トレイ１４１となることからわかる。また、例えば、紙種が普通紙で坪量が２１７−３００ｇ／ｍ2の組み合わせに着目すると、給紙トレイ２と給紙トレイ３は特定トレイ１４１に決定されないのに対し、給紙トレイ１は特定トレイ１４１に決定されることからも、原稿読取装置１３に近い給紙トレイほど特定トレイ１４１に決定されやすくなっていることがわかる。
【０１１６】
図８を参照して、紙種の観点では、普通紙が最も特定トレイ１４１に決定されにくく、次にカラー紙が特定トレイ１４１に決定されにくく、塗工紙が最も特定トレイ１４１に決定されやすくなっている。それは、普通紙では特定トレイ１４１に決定される給紙トレイと坪量の組み合わせが一つしかなく、カラー紙では二つの組み合わせで特定トレイ１４１に決定され、塗工紙では五つの組み合わせで特定トレイ１４１になることからもわかる。また給紙トレイ１と坪量が１０６−２１６ｇ／ｍ2の組み合わせに着目すると、塗工紙は特定トレイ１４１に決定され、普通紙とカラー紙では特定トレイ１４１に決定されないことからもわかる。
【０１１７】
図８を参照して、坪量の観点では、坪量が大きいほど、特定トレイ１４１に決定されやすくなっている。それは、坪量が６２−１０５ｇ／ｍ2では特定トレイ１４１に決定される給紙トレイと紙種の組み合わせが一つしかなく、坪量が１０６−２１６ｇ／ｍ2では二つの組み合わせとなるのに対し、坪量が２１７−３００ｇ／ｍ2では五つの組み合わせで特定トレイ１４１になることからもわかる。また、給紙トレイ１で紙種が普通紙の組み合わせに着目すると、坪量２１７−３００ｇ／ｍ2の場合に特定トレイ１４１に決定され、坪量６２−１０５ｇ／ｍ2の場合と坪量１０６−２１６ｇ／ｍ2の場合に特定トレイ１４１に決定されないことからもわかる。
【０１１８】
図８に示すテーブルでは、特定トレイ１４１を決定する条件として、トレイ位置、紙種、坪量を用いたが、給紙動作時に発生する振動を変動させる要素であれば、特定トレイ１４１を決定する条件に含めることができる。
【０１１９】
また、図８に示すテーブルでは、トレイ位置、紙種、坪量の全てを考慮して、特定トレイ１４１を決定したが、トレイ位置、紙種、坪量のうちの少なくとも一つを考慮して特定トレイ１４１を決定しても良い。例えば、トレイ位置のみを考慮して特定トレイ１４１を決定する場合には、原稿読取装置１３に近い給紙トレイほど特定トレイ１４１に決定されやすくする。また、紙種のみを考慮して特定トレイ１４１を決定する場合には、普通紙、カラー紙、塗工紙の順で特定トレイ１４１に決定されやすくする。また、坪量のみを考慮して特定トレイ１４１を決定する場合には、坪量が大きいほど、特定トレイ１４１に決定されやすくする。
【０１２０】
なお、図８に示すテーブルに記述した数値や特定トレイ１４１か否かの決定結果は、あくまで例示であり、これらの内容には限定はされない。
【０１２１】
本実施形態に係る画像形成システム１０によると、ユーザーは、画像形成システム１０が備える給紙トレイのうち、いずれの給紙トレイを特定トレイにするかを手動で指定（決定）できるため、ユーザー（管理者）が画像形成システム１０の特性を熟知している場合には、画像形成システム１０の使用環境や装置固有の特性（例えば、各給紙トレイの癖）に合わせて、きめ細かく特定トレイを指定することができる。
【０１２２】
また、本実施形態に係る画像形成システム１０によると、画像形成システム１０が自動的に特定トレイを決定するため、ユーザー（管理者）が画像形成システム１０のことをよく知らない場合でも、特定トレイを精度よく決定することができる。
【０１２３】
（変形例１−１）
実施形態１の変形例について以下に説明する。
【０１２４】
実施形態１に係る画像形成システム１０は、トレイ位置、紙種、坪量のうちの少なくとも一つを考慮して、給紙装置１４が備える給紙トレイのそれぞれについて、特定トレイ１４１か否かを予め決定しておき、給紙動作を実行する給紙トレイが特定トレイ１４１か否かに応じて読取動作を禁止するものであるのに対し、本変形例の画像形成システム１０は、給紙動作により給紙される記録紙が特定の記録紙（特定記録紙）であるか否かに応じて、読取動作を禁止するものである。特定記録紙とは、給紙動作によって強い振動を発生しうる記録紙であり、例えば、紙種の観点では塗工紙やカラー紙であり、坪量の観点では坪量の大きな記録紙である。紙種と坪量のいずれか一方に基づいて特定記録紙とするか否かを決定しても良いし、紙種と坪量の組み合わせから特定記録紙とするか否かを決定しても良い。なお、特定記録紙とする条件には、給紙動作時に発生する振動を変動させる要素であれば、紙種と坪量以外の要素を含めることができる。給紙動作時に発生する振動に対する、紙種と坪量の影響については、上述の図８に関する説明と重複するため、説明は省略する。
【０１２５】
図９は本変形例の処理を説明するフローチャートである。ＣＰＵ１５１は、ＲＯＭ１５３に記録されたプログラムに基づいて図９のフローチャートに示す処理を実行する。
【０１２６】
図６のフローチャートに対する、図９のフローチャートの違いは、図６のステップＳ６２とステップＳ６５の処理が、図９のステップＳ９２とステップＳ９５の処理に置き換わっただけである。具体的には、図６のフローチャートでは、特定トレイ１４１からの給紙動作が実行されるか否かに応じて読取動作を禁止するのに対し、図９のフローチャートでは、給紙される記録紙が特定記録紙か否かに応じて読取動作を禁止する。
【０１２７】
上記以外の図９のフローチャートの処理については、図６のフローチャートと同様であることから、説明は省略する。
【０１２８】
本変形例によると、読取動作開始時または読取動作実行中に、特定記録紙の給紙動作が実行される場合、読取動作を禁止するので、特定記録紙の給紙動作時に発生する振動が原稿読取装置１３内の光学ユニット等に伝導したとしても、特定記録紙の給紙動作中は読取動作が行われず、特定記録紙の給紙動作中以外のタイミングで読取動作を行うため、読取画像の画質劣化を抑制することができる。
【０１２９】
また、特定記録紙以外の記録紙については、特定記録紙と比べて給紙動作中に発生する振動が弱く、画質劣化への影響が小さいところ、特定記録紙以外の記録紙については給紙動作と読取動作を同時に実行するので、読取動作、画像形成動作、給紙動作を併せた画像形成システム１０全体としての生産性を確保しつつ、読取画像の画質劣化を抑制することができる。
【０１３０】
（変形例１−２）
実施形態１の他の変形例について以下に説明する。
【０１３１】
実施形態１に係る画像形成システム１０は、特定トレイ１４１からの給紙動作と読取動作とが同時に実行されない様に、読取動作を禁止するものであるのに対し、本変形例の画像形成システム１０は、特定トレイ１４１からの給紙動作とプラテン読取モードでの読取動作とが同時に実行されない様に、プラテン読取モードでの読取動作を禁止するものである。より詳しくは、ＡＤＦ読取モードでの読取動作については特定トレイ１４１からの給紙動作と同時に実行されることを許可する一方で、プラテン読取モードでの読取動作についてのみ、特定トレイ１４１からの給紙動作と同時に実行されることを禁止するものである。
【０１３２】
図１０は本変形例の処理を説明するフローチャートである。ＣＰＵ１５１は、ＲＯＭ１５３に記録されたプログラムに基づいて図１０のフローチャートに示す処理を実行する。
【０１３３】
図１０のフローチャートは、図６のフローチャートに対して、ステップＳ１０２とステップＳ１０６の処理が追加されている。ステップＳ１０２とステップＳ１０６では、読取動作がＡＤＦ読取モードか否かを判断し、ＡＤＦ読取モードであるときには特定トレイ１４１からの給紙動作を実行中か否かに関わらず、読取動作を許可する制御を行う。一方、読取動作がＡＤＦ読取モードではない場合、つまりプラテン読取モードである場合には、特定トレイ１４１からの給紙動作を実行中か否かを判断し、特定トレイ１４１の給紙動作を実行中に読取動作を禁止する。
【０１３４】
上記以外の図１０のフローチャートの処理については、図６のフローチャートと同様であることから、説明は省略する。
【０１３５】
なお、画像形成システム１０は、複数の原稿に係るスキャンジョブまたはコピージョブの途中で、ＡＤＦ読取モードとプラテン読取モードとを切り替えることが可能となっているため、読取動作を開始するときにＡＤＦ読取モードか否かを判断するだけでなく（ステップＳ１０２）、読取動作を開始した後もＡＤＦ読取モードか否かを判断している（ステップＳ１０６）。
【０１３６】
プラテン読取モードでは、読取部１３１が備える光学ユニット等を走査することで原稿の画像を読み取る。一方、ＡＤＦ読取モードでは、光学ユニット等を所定の読取位置に停止させた状態で原稿の画像を読み取る。ここで、ＡＤＦ読取モードでは、光学ユニット等を走査する必要がないので、外部から原稿読取装置１３に対して加えられる振動に起因する光学ユニット等の揺れを抑制する機構を適用することができる。例えば、光学ユニット等の揺れを抑制する機構は、弾性材（ゴム）で構成される、光学ユニット等に突き当てる突き当て部材であり、所定の読取位置に停止させた光学ユニット等に突き当て部材を突き当てることで、ＡＤＦ読取モードにおける読取動作中の光学ユニット等の揺れを抑制することができる。なお、本変形例の画像形成システム１０は、ＡＤＦ読取モードにおける光学ユニット等の揺れがプラテン読取モードにおける光学ユニット等の揺れよりも小さければよく、上記突き当て部材の様な特別な機構を採用しなくても、ＡＤＦ読取モードにおける揺れの方が小さい場合には、その様な機構を設ける必要はない。また、ＡＤＦ読取モードにおける光学ユニット等の揺れを抑制する機構を採用する場合でも、その機構は、突き当て部材に限らず、光学ユニット等の揺れを抑制できるものであれば、他の機構を用いることができる。
【０１３７】
本変形例によると、プラテン読取モードについては、読取動作を禁止するので、特定トレイ１４１からの給紙動作時に発生する振動が原稿読取装置１３内の光学ユニット等に伝導したとしても、特定トレイ１４１からの給紙動作中は読取動作が行われず、特定トレイ１４１からの給紙動作中以外のタイミングで読取動作を行うため、プラテン読取モードの読取動作における読取画像の画質劣化を抑制することができる。
【０１３８】
また、ＡＤＦ読取モードについては、プラテン読取モードと比べて、給紙動作による振動に起因する光学ユニット等の揺れが小さく、画質劣化への影響が小さいところ、給紙動作と読取動作を同時に実行できるので、読取動作、画像形成動作、給紙動作を併せた画像形成システム１０全体としての生産性を確保しつつ、読取画像の画質劣化を抑制することができる。
【０１３９】
なお、実施形態１の画像形成システム１０に対し、上述の変形例１−１と変形例１−２のずれか一つの変形を加えても良いし、変形例１−１と変形例１−２の両方の変形を加えても良い。
【０１４０】
（実施形態２）
実施形態２に係る画像形成システム１０の基本構成や基本動作は、実施形態１に係る画像形成システム１０と同様である。以下の説明において、実施形態１と同様の構成には、同一の符号を付し、実施形態１と重複する内容についての説明は省略する。
【０１４１】
実施形態２に係る画像形成システム１０は、読取動作と給紙動作とが同時に実行されうる状況において、読取動作の実行状況に応じて、給紙動作を許可するか否かを切り替えることにより、特定トレイ１４１からの給紙動作と読取動作とが同時に実行されることを禁止する制御を行う。
【０１４２】
図１１は、実施形態２の処理を説明するフローチャートである。ＣＰＵ１５１は、ＲＯＭ１５３に記録されたプログラムに基づいて図１１のフローチャートに示す処理を実行する。
【０１４３】
図１１を参照して、画像形成システム１０は、画像形成を行う印刷データを外部装置２３から受信した（ステップＳ１１１）ことを受けて、その時点で、原稿読取装置１３が読取動作を実行中か否かを判断する（ステップＳ１１２）。原稿読取装置１３が読取動作を実行していないとき（ステップＳ１１２でＮｏ）、画像形成システム１０は、受信した印刷データに係るプリントジョブについての、給紙装置１４による給紙動作の開始を許可する（ステップＳ１１５）。
【０１４４】
一方、原稿読取装置１３が読取動作を実行中であるとき（ステップＳ１１２でＹｅｓ）、受信した印刷データに係るプリントジョブが特定トレイ１４１からの給紙動作を含むかどうかを判断する（ステップＳ１１３）。具体的には、印刷データが複数ページに対応する場合、複数ページのうちに、特定トレイ１４１からの給紙動作に対応する少なくとも一つのページが含まれるか否かを判断する。
【０１４５】
プリントジョブが特定トレイ１４１からの給紙動作を含む場合（ステップＳ１１３でＹｅｓ）、給紙動作の開始を禁止し（ステップＳ１１４）、ステップＳ１１２に戻る。一方、プリントジョブが特定トレイ１４１からの給紙動作を含まない場合（ステップＳ１１３でＮｏ）、画像形成システム１０は、給紙動作の開始を許可する（ステップＳ１１５）。つまり、画像形成システム１０は、プリントジョブの実行を開始し、給紙装置１４による給紙動作と画像形成装置１１による画像形成動作とを実行する。
【０１４６】
上記のとおり、画像形成システム１０は、外部装置２３から印刷データを受信し、プリントジョブの実行を開始するとき、原稿読取装置１３による読取動作を実行中で且つプリントジョブに特定トレイ１４１からの給紙動作が含まれる場合は、給紙動作をすぐには開始せずに、読取動作の終了を待って、給紙動作を開始する。
【０１４７】
画像形成システム１０は、給紙動作を開始した後も、原稿読取装置１３が読取動作を実行中か否かを判断する（ステップＳ１１６）。読取動作を実行中でない場合（ステップＳ１１６：Ｎｏ）、画像形成システム１０は、給紙動作を許可する（ステップＳ１１９）。
【０１４８】
一方、読取動作を実行中である場合（ステップＳ１１６：Ｙｅｓ）、画像形成システム１０は、給紙動作が特定トレイ１４１によるものか否かを判断する（ステップＳ１１７）。給紙動作が特定トレイ１４１によるものではない場合（ステップＳ１１７でＮｏ）、画像形成システム１０は、給紙動作を許可する（ステップＳ１１９）。
【０１４９】
給紙動作が特定トレイ１４１によるものである場合（ステップＳ１１７でＹｅｓ）、給紙動作を禁止し（ステップＳ１１８）、ステップＳ１１６の処理に戻る。
【０１５０】
つまり、画像形成システム１０は、給紙動作を開始した後も、読取動作の実行と、特定トレイ１４１からの給紙動作の実行を監視し、読取動作と特定トレイ１４１との給紙動作とが同時に実行されない様に、給紙動作を禁止する。
【０１５１】
画像形成システム１０は、プリントジョブに関する全ての給紙動作が終了したか否かを判断する（ステップＳ１１１０）。例えば、プリントジョブが複数のページに対応する場合、全てのページについての給紙動作が終了したかどうかを判断する。まだ給紙動作が終了していない場合（ステップＳ１１１０でＮｏ）、ステップＳ１１６の処理に戻る。
【０１５２】
全ての給紙動作が終了していた場合（ステップＳ１１１０でＹｅｓ）、画像形成システム１０は、給紙装置１４による給紙動作を終了させる。
【０１５３】
ここで、実施形態１で説明した、読取動作と給紙動作とが同時並列に実行される具体的なケース（ケース１〜５）と図１１のフローチャートとの関係について説明する。
【０１５４】
（ケース１：同一コピージョブ）
ケース１においては、先のページの給紙動作と後のページの読取動作とが同時に実行される状況で（ステップＳ１１６でＹｅｓ）、特定トレイ１４１からの給紙動作を実行するとき（ステップＳ１１７でＹｅｓ）、給紙動作を禁止し、原稿読取装置１３による読取動作が終了した時点で給紙動作を再開する（ステップＳ１１９）。
【０１５５】
（ケース２：異なるコピージョブ）
ケース２においては、先のコピージョブについての給紙動作と後のコピージョブについての読取動作とが同時に実行される状況で（ステップＳ１１６でＹｅｓ）、先のコピージョブについて特定トレイ１４１からの給紙動作を実行するとき（ステップＳ１１７でＹｅｓ）、給紙動作を禁止し、原稿読取装置１３による読取動作が終了した時点で給紙動作を再開する（ステップＳ１１９）。
【０１５６】
実施形態１と同様に、複数のジョブが連続して実行される場合であっても、ステップＳ１１６及びＳ１１７における判断は、複数のジョブに跨って継続して実行される。これは他のケースについても同様であり、繰り返しの説明は省略する。
【０１５７】
（ケース３：コピージョブとプリントジョブ）
ケース３においては、コピージョブの実行中にプリントジョブを受け付ける場合と、プリントジョブの実行中にコピージョブを受け付ける場合の二つが考えられる。
【０１５８】
コピージョブの実行中にプリントジョブを受け付ける場合においては、コピージョブについての読取動作中に（ステップＳ１１２でＹｅｓ）、特定トレイ１４１の給紙動作を含むプリントジョブを受け付けると（ステップＳ１１３でＹｅｓ）、給紙動作が禁止される（ステップＳ１１４）。つまり、プリントジョブの開始が禁止される。そして、読取動作が終了した後（ステップＳ１１２でＮｏ）、プリントジョブの開始が許可される（ステップＳ１１５）。
【０１５９】
コピージョブの読取動作により開始が禁止されたプリントジョブは、読取動作が終了した時点で開始されるのではなく、コピージョブの読取動作が終了してから、そのコピージョブの画像形成動作（給紙動作）が実行された後、プリントジョブの実行が開始される。
【０１６０】
なお、上述の様な場合において、コピージョブの読取動作が終了した後に、そのコピージョブの画像形成動作（給紙動作）よりも優先して、プリントジョブの実行を開始しても良い。
【０１６１】
ケース３における、プリントジョブの実行中にコピージョブを受け付ける場合においては、プリントジョブについての給紙動作の実行中に、コピージョブについてスタートキーが押されると読取動作を開始する（ステップＳ１１６でＹｅｓ）。そして、プリントジョブについての給紙動作とコピージョブについての読取動作とが同時に実行されうる状況で、特定トレイ１４１からの給紙動作が実行されるときに（ステップＳ１１７でＹｅｓ）、給紙動作を禁止し（ステップＳ１１８）、読取動作が終了した後（ステップＳ１１６でＮｏ）、給紙動作が再開される（ステップＳ１１９）。この場合、プリントジョブの一部のページの画像形成は完了しているので、コピージョブの画像形成動作（給紙動作）よりも優先して、プリントジョブの画像形成動作（給紙動作）が実行される。
【０１６２】
（ケース４：スキャンジョブとプリントジョブ）
ケース４は、上述のコピージョブとプリントジョブの説明における、コピージョブをスキャンジョブに置き換えたものなので、詳細な説明は省略する。
【０１６３】
（ケース５：スキャンジョブとコピージョブ）
ケース５は、上述の異なるコピージョブの説明における、後のコピージョブをスキャンジョブに置き換えたものなので詳細な説明は省略する。
【０１６４】
図１１のフローチャートの説明においては、給紙動作を禁止した後、原稿読取装置１３の読取動作が終了したことを受けて、自動的に給紙動作を許可（再開）することとしたが、実施形態１と同様に、ユーザーからの所定の操作を待って給紙動作を再開しても良いし、禁止した給紙動作にかかるジョブを破棄しても良い。
【０１６５】
実施形態２においても、実施形態１と同様に、図７や図８に対応して説明した方法を用いて、ユーザーが特定トレイ１４１を手動で決定しても良いし、画像形成システム１０が特定トレイ１４１を自動で決定しても良い。
【０１６６】
本実施形態によると、読取動作の実行状況と特定トレイ１４１からの給紙動作の実行状況とに応じて、読取動作と特定トレイ１４１の給紙動作とが同時に実行されない様に、給紙動作を禁止するため、読取動作中には、特定トレイ１４１の給紙動作による振動が発生しないので、読取画像の画質劣化を抑制することができる。
【０１６７】
また、特定トレイ１４１以外の給紙トレイについては、特定トレイ１４１と比べて給紙動作中に発生する振動が弱く、画質劣化への影響が小さいところ、特定トレイ１４１以外の給紙トレイについては給紙動作と読取動作を同時に実行するので、読取動作、画像形成動作、給紙動作を併せた画像形成システム１０全体としての生産性を確保しつつ、読取画像の画質劣化を抑制することができる。
【０１６８】
（変形例２−１）
実施形態２の変形例について以下に説明する。
【０１６９】
実施形態２に係る画像形成システム１０は、特定トレイ１４１からの給紙動作と読取動作とが同時に実行されない様に、給紙動作を禁止するものであるのに対し、本変形例の画像形成システム１０は、特定トレイ１４１からの給紙動作とプラテン読取モードでの読取動作とが同時に実行されない様に、特定トレイ１４１からの給紙動作を禁止するものである。より詳しくは、ＡＤＦ読取モードでの読取動作中は特定トレイ１４１からの給紙動作を許可する一方で、プラテン読取モードでの読取動作中のみ、特定トレイ１４１の給紙動作を禁止するものである。
【０１７０】
図１２は本変形例の処理を説明するフローチャートである。ＣＰＵ１５１は、ＲＯＭ１５３に記録されたプログラムに基づいて図１２のフローチャートに示す処理を実行する。
【０１７１】
図１２のフローチャートは、図１１のフローチャートに対して、ステップＳ１２３とステップＳ１２８の処理が追加されている。ステップＳ１２３とステップＳ１２８では、読取動作がＡＤＦ読取モードか否かを判断し、ＡＤＦ読取モードであるときには特定トレイ１４１からの給紙動作を実行中か否かに関わらず、給紙動作を許可する制御を行う。一方、読取動作がＡＤＦ読取モードではない場合、つまりプラテン読取モードである場合には、特定トレイ１４１からの給紙動作であるか否かを判断し、特定トレイ１４１の給紙動作であるときにはその給紙動作を禁止する。
【０１７２】
上記以外の図１２のフローチャートの処理については、図１１のフローチャートと同様であることから、説明は省略する。
【０１７３】
本変形例によると、プラテン読取モードについては、読取動作の実行状況と、特定トレイ１４１からの給紙動作の実行状況とに応じて、読取動作と特定トレイ１４１の給紙動作とが同時に実行されない様に、給紙動作を禁止するため、読取動作中には、特定トレイ１４１の給紙動作による振動が発生しないので読取動作における読取画像の画質劣化を抑制することができる。
【０１７４】
また、ＡＤＦ読取モードについては、プラテン読取モードと比べて、給紙動作による振動に起因する光学ユニット等の揺れが小さく、画質劣化への影響が小さいところ、給紙動作と読取動作を同時に実行できるので、読取動作、画像形成動作、給紙動作を併せた画像形成システム１０全体としての生産性を確保しつつ、読取画像の画質劣化を抑制することができる。
【０１７５】
（実施形態３）
実施形態３に係る画像形成システム１０の基本構成や基本動作は、実施形態１に係る画像形成システム１０と同様である。以下の説明において、実施形態１と同様の構成には、同一の符号を付し、実施形態１と重複する内容についての説明は省略する。
【０１７６】
実施形態３に係る画像形成システム１０は、ジョブ実行中にそれまで給紙動作を実行していた給紙トレイの記録紙がなくなると、同じ記録紙を格納する他の給紙トレイから給紙させる機能（ＡＴＳ（Auto Tray Switching）自動給紙トレイ切り替え機能）を搭載している。ここで、画像形成システム１０が、それまで給紙動作を実行していた給紙トレイの記録紙がなくなったときに給紙元の給紙トレイを自動的に切り替える動作のことを、ＡＴＳ動作（自動給紙トレイ切り替え動作）と呼ぶことがある。
【０１７７】
また、画像形成システム１０は、例えば、給紙トレイ１〜４に同じ記録紙が格納されている状況で、ジョブ実行中に給紙トレイ１の記録紙がなくなったときに、給紙トレイ２〜４のうちのいずれかの給紙トレイから給紙することができる。つまり、ＡＴＳによる切り替え後の給紙トレイを、複数の候補のなかから選ぶことができる。ＡＴＳによる切り替えの候補となる給紙トレイのことを、候補給紙トレイと呼ぶことがある。
【０１７８】
実施形態３に係る画像形成システム１０は、ＡＴＳ動作を実行するときに、読取動作の実行状況に応じて、候補給紙トレイを自動的に決定する。具体的には、ＡＴＳ動作を実行するときに読取動作を実行していない場合は、同じ記録紙を格納する給紙トレイの全てを候補給紙トレイとして決定し、ＡＴＳ動作を実行するときに読取動作を実行している場合は、同じ記録紙を格納する給紙トレイのうち、特定トレイ１４１以外のものを候補給紙トレイとして決定する制御を行う。
【０１７９】
図１３は、実施形態３の処理を説明するフローチャートである。ＣＰＵ１５１は、ＲＯＭ１５３に記録されたプログラムに基づいて図１３のフローチャートに示す処理を実行する。
【０１８０】
図１３を参照して、画像形成システム１０は、ＡＴＳ動作を実行するときに（ステップＳ１３１でＹｅｓ）、その時点で、原稿読取装置１３が読取動作を実行中か否かを判断する（ステップＳ１３２）。原稿読取装置１３が読取動作を実行していないとき（ステップＳ１３２でＮｏ）、同じ記録紙を格納する給紙トレイの全てを候補給紙トレイとして決定する（ステップＳ１３４）。
【０１８１】
一方、原稿読取装置１３が読取動作を実行しているとき（ステップＳ１３２でＹｅｓ）、同じ記録紙を格納する給紙トレイのうち、特定トレイ１４１以外のものを候補給紙トレイとして決定する（ステップＳ１３３）。
【０１８２】
ここで、当然のことながら、今まで給紙動作を実行し記録紙切れを起こした給紙トレイは、候補給紙トレイに含まれない。
【０１８３】
そして、ステップＳ１３３またはステップＳ１３４で決定された候補給紙トレイのなかから、ＡＴＳ動作において切り替え先となる給紙トレイを選択する。
【０１８４】
この様に、画像形成システム１０は、ＡＴＳ動作が実行されるときに、読取動作の実行状況に応じて、候補給紙トレイを自動的に決定する。具体的には、ＡＴＳ動作が実行されるときに読取動作を実行している場合は、特定トレイ１４１以外の給紙トレイから候補給紙トレイを決定する。
【０１８５】
本実施形態に係る画像形成システム１０は、操作装置１６のディスプレイに、図１４に示す様なジョブスケジューリング画面１４０１を表示することができる。図１４を参照して、ジョブスケジューリング画面１４０１は、縦軸方向に沿って給紙装置１４が備える給紙トレイのトレイ情報１４０２が表示され、横軸方向に沿って、実行中または実行予定のジョブによる給紙トレイの使用状況（使用予定）が表示される。縦軸方向に沿って表示されるトレイ情報１４０２は、トレイを識別するためのトレイ識別情報（１４０３）の他に、そのトレイに格納されている紙種及び記録紙のサイズの情報を含む。また、ジョブスケジューリング画面１４０１は、給紙装置１４が備える給紙トレイのうち、特定トレイ１４１に決定された給紙トレイを識別可能に表示する。具体的には、特定トレイ１４１に決定された給紙トレイに対応するトレイ情報１４０２に対応づけて、特定トレイ１４１に決定されたことを示すマーク１４０４を表示する。ユーザーは、マーク１４０４を見ることで、給紙装置１４が備える給紙トレイのうちのどの給紙トレイが特定トレイ１４１に決定されたのかを知ることができる。
【０１８６】
図１４のジョブスケジューリング画面１４０１は、時間Ｔのタイミングで、ＡＴＳ動作により、給紙動作を実行するトレイが給紙トレイ３から給紙トレイ２に切り替わることを示している。より具体的には、給紙トレイ１が特定トレイ１４１となっているところ、ＡＴＳ動作が実行されるときに（時間Ｔのタイミングで）、読取動作が実行される予定ではないため、ＡＴＳ動作により給紙トレイ３から給紙トレイ２に切り替わることを示している。
【０１８７】
一方で、図１５のジョブスケジューリング画面１４０１は、時間Ｔのタイミングで読取動作が実行される予定であるときの、給紙トレイの使用状況（予定）を示している。給紙トレイ２が特定トレイ１４１となっているところ、ＡＴＳ動作が実行されるときに（時間Ｔのタイミングで）、読取動作が実行される予定であるため、ＡＴＳ動作により給紙トレイ３から、特定トレイ１４１ではない給紙トレイ４に切り替わっている。
【０１８８】
なお、実施形態３においても、実施形態１と同様に、図７や図８に対応して説明した方法を用いて、ユーザーが特定トレイ１４１を手動で決定しても良いし、画像形成システム１０が特定トレイ１４１を自動で決定しても良い。
【０１８９】
本実施形態によると、読取動作中に、ＡＴＳ動作が発生した場合、特定トレイ１４１への切り替えを禁止するので、読取動作における読取画像の画質劣化を抑制することができる。
【０１９０】
また、特定トレイ１４１以外の給紙トレイについては、特定トレイと比べて給紙動作中に発生する振動が弱く、画質劣化への影響が少ないところ、特定トレイ１４１以外の給紙トレイについては給紙動作と読取動作を同時に実行するので、読取動作、画像形成動作、給紙動作を併せた画像形成システム１０全体としての生産性を確保しつつ、読取画像の画質劣化を抑制することができる。
【０１９１】
（変形例３―１）
実施形態３の変形例について以下に説明する。
【０１９２】
実施形態３に係る画像形成システム１０は、ＡＴＳ動作が読取動作中に実行される場合に、特定トレイ１４１以外の給紙トレイから候補給紙トレイを決定するものであるのに対し、本変形例の画像形成システム１０は、ＡＴＳ動作がプラテン読取モードでの読取動作中に実行される場合に、特定トレイ１４１以外の給紙トレイから候補給紙トレイを決定するものである。より詳しくは、ＡＴＳ動作がＡＤＦ読取モードでの読取動作中に実行される場合には同じ記録紙を格納する給紙トレイの全てを候補給紙トレイとして決定する一方で、ＡＴＳ動作がプラテン読取モードでの読取動作中に実行される場合にのみ、同じ記録紙を格納する給紙トレイのうち、特定トレイ１４１以外のものを候補給紙トレイとして決定する。
【０１９３】
本変形例によると、プラテン読取モードにおいて、読取動作中に、ＡＴＳ動作が発生した場合、特定トレイ１４１への切り替えを禁止するので、プラテン読取モードの読取動作における読取画像の画質劣化を抑制することができる。
【０１９４】
また、ＡＤＦ読取モードにおいては、特定トレイ１４１の給紙トレイへの切り替えを許可するので、例えば、記録紙切れを起こした給紙トレイと同じ記録紙を格納した給紙トレイが特定トレイ１４１のみであった場合でも、給紙動作（画像形成動作）を継続することができるので、読取動作、画像形成動作、給紙動作を併せた画像形成システム１０全体としての生産性を確保しつつ、読取画像の画質劣化を抑制することができる。
【０１９５】
（変形例３―２）
実施形態３の他の変形例について以下に説明する。
【０１９６】
実施形態３に係る画像形成システム１０は、ＡＴＳ動作が読取動作中に実行される場合に、特定トレイ１４１以外の給紙トレイから候補給紙トレイを決定するものであるのに対し、本変形例の画像形成システム１０は、特定トレイ１４１からの給紙動作中に読取動作が実行されると、記録紙切れがあるかないかにかかわらず、給紙元の給紙トレイを、その時点で給紙動作を実行している特定トレイ１４１から、特定トレイ１４１以外の給紙トレイに自動的に切り替える制御を行う。
【０１９７】
本変形例によると、特定トレイ１４１からの給紙動作中に読込動作が実行されると、特定トレイ１４１以外の給紙トレイに切り替えて給紙動作を実行することで、読取動作と特定トレイ１４１以外の給紙トレイからの給紙動作を同時に実行するので、読取動作、画像形成動作、給紙動作を併せた画像形成システム１０全体としての生産性を確保しつつ、読取画像の画質劣化を抑制することができる。
【０１９８】
本変形例についても、ＡＤＦ読取モードでの読取動作については給紙トレイの自動切り替え制御を行わず、プラテン読取モードでの読取動作についてのみ、給紙トレイの自動切り替え制御を行う様にしても良い。
【０１９９】
なお、上記実施形態１〜３、及びそれぞれに対応する変形例を個別に説明したが、それぞれの実施形態及び変形例のうち、組み合わせ可能な実施形態及び変形例を組み合わせて実施することができる。
【符号の説明】
【０２００】
１０        画像形成システム
７          特定トレイ設定画面
１１        画像形成装置
１２        後処理装置
１３        原稿読取装置
１４        給紙装置
１５        制御部
１６        操作装置
１７        インターフェース部
２１        バス
２２        ＬＡＮ
２３        外部装置
７１        トレイ表示エリア
７２        プロパティ情報
７３        ＯＫボタン
７４        キャンセルボタン
１３１      読取部
１３２      ＡＤＦ
１４１      特定トレイ
１５１      ＣＰＵ
１５２      ＲＡＭ
１５３      ＲＯＭ
１５４      ＨＤＤ
１７１      ＬＡＮＩＦ
７１１      トレイキー
７１２      トレイキー
７１３      トレイキー
７１４      トレイキー
７１５      トレイキー
１００１    画像形成装置
１００３    原稿読取装置
１００４    給紙装置
１４０１    ジョブスケジューリング画面
１４０２    トレイ情報
１４０３    トレイ識別情報
１４０４    マーク
２００１    画像形成装置
２００３    原稿読取装置
２００４    給紙装置
Ｔ          ＡＴＳ動作が実行されるタイミング
【図１】
2015070286.tif 000003
【図２】
2015070286.tif 000004
【図３】
2015070286.tif 000005
【図４】
2015070286.tif 000006
【図５】
2015070286.tif 000007
【図６】
2015070286.tif 000008
【図７】
2015070286.tif 000009
【図８】
2015070286.tif 000010
【図９】
2015070286.tif 000011
【図１０】
2015070286.tif 000012
【図１１】
2015070286.tif 000013
【図１２】
2015070286.tif 000014
【図１３】
2015070286.tif 000015
【図１４】
2015070286.tif 000016
【図１５】
2015070286.tif 000017